(57)【要約】【課題】鍵のかけ忘れを抑制することができるタイマー機能付鍵、タイマー機能付鍵カバー、およびタイマー機能付鍵システムを提供することである。【解決手段】実施形態のタイマー機能付鍵は、鍵本体部と、検知部と、出力部と、タイマー部とを持つ。検知部は、前記鍵本体部が使用されたことを検知する。出力部は、情報を出力する。タイマー部は、前記検知部による検知結果に基づいて計時を行い、計時する時間が所定時間に至ると、注意喚起を示す情報を前記出力部に出力させる。【選択図】図３
2015140599.tif 000002
【特許請求の範囲】
【請求項１】
鍵本体部と、
前記鍵本体部が使用されたことを検知する検知部と、
情報を出力する出力部と、
前記検知部による検知結果に基づいて計時を行い、計時する時間が所定時間に至ると、注意喚起を示す情報を前記出力部に出力させるタイマー部と、
を備えるタイマー機能付鍵。
【請求項２】
前記検知部は、前記鍵本体部が解錠のために使用されたか、施錠のために使用されたかを区別して検知可能であり、
前記タイマー部は、前記鍵本体部が解錠のために使用されたことが前記検知部により検知されたときに計時を開始し、その後、前記鍵本体部が施錠のために使用されたことが前記検知部により検知されることなく、計時する時間が所定時間に至ると、注意喚起を示す情報を前記出力部に出力させる、
請求項１記載のタイマー機能付鍵。
【請求項３】
前記タイマー部は、前記計時を開始した後、計時する時間が所定時間経過する前に、前記鍵本体部が施錠のために使用されたことが前記検知部により検知されると、当該回の計時に係る、前記注意喚起を示す情報の出力をキャンセルする、
請求項２記載のタイマー機能付鍵。
【請求項４】
鍵に装着されるタイマー機能付鍵カバーであって、
前記鍵が使用されたことを検知する検知部と、
情報を出力する出力部と、
前記検知部による検知結果に基づいて計時を行い、計時する時間が所定時間に至ると、注意喚起を示す情報を前記出力部に出力させるタイマー部と、
を備えるタイマー機能付鍵カバー。
【請求項５】
鍵本体部、前記鍵本体部が使用されたことを検知する検知部、および、前記検知部による検知結果に基づいて所定の信号を監視装置に送信する送信部を有する送信機能付鍵と、
前記所定の信号を受信する受信部、情報を出力する出力部、および、前記受信部により前記所定の信号が受信されるのに応じて計時を行い、計時する時間が所定時間に至ると、注意喚起を示す情報を前記出力部に出力させるタイマー部を有する監視装置と、
を備えるタイマー機能付鍵システム。
【請求項６】
鍵に装着される送信機能付鍵カバーであって、鍵が使用されたことを検知する検知部、および、前記検知部による検知結果に基づいて所定の信号を監視装置に送信する送信部を有する送信機能付鍵カバーと、
前記所定の信号を受信する受信部、情報を出力する出力部、および、前記受信部により前記所定の信号が受信されるのに応じて計時を行い、計時する時間が所定時間に至ると、注意喚起を示す情報を前記出力部に出力させるタイマー部を有する監視装置と、
を備えるタイマー機能付鍵システム。
【発明の詳細な説明】
【技術分野】
【０００１】
本発明の実施形態は、タイマー機能付鍵、タイマー機能付鍵カバー、およびタイマー機能付鍵システムに関する。
【背景技術】
【０００２】
建物内外の扉や物品の扉には、錠前が取り付けられ、鍵を用いて扉が開閉できるようになっている。しかしながら、従来の鍵には、鍵のかけ忘れが生じるのを抑制するための工夫がなされていなかった。
【先行技術文献】
【特許文献】
【０００３】
【特許文献１】特開平９−５１８４６号公報
【発明の概要】
【発明が解決しようとする課題】
【０００４】
本発明が解決しようとする課題は、鍵のかけ忘れを抑制することができるタイマー機能付鍵、タイマー機能付鍵カバー、およびタイマー機能付鍵システムを提供することである。
【課題を解決するための手段】
【０００５】
実施形態のタイマー機能付鍵は、鍵本体部と、検知部と、出力部と、タイマー部とを持つ。検知部は、前記鍵本体部が使用されたことを検知する。出力部は、情報を出力する。タイマー部は、前記検知部による検知結果に基づいて計時を行い、計時する時間が所定時間に至ると、注意喚起を示す情報を前記出力部に出力させる。
【図面の簡単な説明】
【０００６】
【図１】第１の実施形態に係るタイマー機能付鍵１の構成の一例を示す図である。
【図２】第１の実施形態に係るタイマー機能付鍵１の構成の一例を示す図である。
【図３】第１の実施形態に係るタイマー機能付鍵１の制御系の構成の一例を示す図である。
【図４】鍵本体部１０の回動方向と、圧力センサ２５Ａ、２５Ｂが検知する圧力との関係を示す図である。
【図５】鍵本体部１０の回動方向と、圧力センサ２５Ａ、２５Ｂが検知する圧力との関係を示す図である。
【図６】制御部４０により実行される処理の流れの一例を示すフローチャートである。
【図７】第２の実施形態に係るタイマー機能付鍵カバー５０の構成の一例を示す図である。
【図８】第２の実施形態に係るタイマー機能付鍵カバー５０の構成の一例を示す図である。
【図９】第３の実施形態に係るタイマー機能付鍵システム３の構成の一例を示す図である。
【図１０】第４の実施形態に係るタイマー機能付鍵システム４の構成の一例を示す図である。
【発明を実施するための形態】
【０００７】
以下、実施形態のタイマー機能付鍵、タイマー機能付鍵カバー、およびタイマー機能付鍵システムを、図面を参照して説明する。
【０００８】
（第１の実施形態）
以下、第１の実施形態に係るタイマー機能付鍵について説明する。図１および図２は、第１の実施形態に係るタイマー機能付鍵１の構成の一例を示す図である。図１はタイマー機能付鍵１を第１面から見た図であり、図２はタイマー機能付鍵１を第１面とは反対の第２面から見た図である。タイマー機能付鍵１は、鍵本体部１０と、接触検知センサ２０と、圧力センサ２５Ａ、２５Ｂと、表示部３０と、オンスイッチ３２と、オフスイッチ３４とを備える。鍵本体部１０は、頭部１２と、ブレード部１４とが一体に形成されている。
【０００９】
接触検知センサ２０は、例えばブレード部１４の一部に取り付けられ、何らかの物体が接触すると、所定の信号（以下、接触信号と称する）を出力する。接触検知センサ２０としては、例えば静電容量式のセンサが用いられる。圧力センサ２５Ａ、２５Ｂは、例えば鍵本体部の第２面に取り付けられ、それぞれに基準値以上の圧力が作用すると、所定の信号（以下、圧力センサ２５Ａの出力する信号を圧力信号Ａ、圧力センサ２５Ｂの出力する信号を圧力信号Ｂと称する）を出力する。
【００１０】
表示部３０は、例えば、タイマー機能付鍵１が計時する時間を、後述する「所定時間」から差し引いた残り時間を表示する。オンスイッチ３２が操作されると、タイマー機能付鍵１のタイマー機能が作動状態となる。一方、オフスイッチ３４が操作されると、タイマー機能付鍵１のタイマー機能が非作動状態となる。
【００１１】
図３は、第１の実施形態に係るタイマー機能付鍵１の制御系の構成の一例を示す図である。接触検知センサ２０や圧力センサ２５Ａ、２５Ｂの出力する信号は制御部４０に入力される。図３に示す音出力部３６および制御部４０は、タイマー機能付鍵１の任意の箇所に内蔵される。音出力部３６は、例えばスピーカやブザーである。
【００１２】
制御部４０は、鍵使用検知部４２と、タイマー部４４とを備える。これらの機能部は、ＬＳＩ（Large  Scale  Integration）やＡＳＩＣ（Application  Specific  Integrated  Circuit）等のハードウェア機能部であってもよいし、ＣＰＵ（Central  Processing  Unit）がプログラムを実行することで機能するソフトウェア機能部であってもよい。また、タイマー機能付鍵１における表示部３０、オンスイッチ３２、オフスイッチ３４、音出力部３６、および制御部４０は、鍵本体部１０と一体に形成されてもよいし、プラスチック等の絶縁部材に包含されて鍵本体部１０に取り付けられてもよい。
【００１３】
鍵使用検知部４２は、接触検知センサ２０や圧力センサ２５Ａ、２５Ｂから入力された信号に基づいて、鍵本体部１０が使用されたことを検知する。ここで、ブレード部１４が鍵穴に差し込まれると、ブレード部１４に鍵穴内の部材が接触するため、接触検知センサ２０から鍵使用検知部４２に接触信号が入力されることになる。そして、その後に鍵本体部１０を鍵穴内で図１、２のＸ軸まわりに回動させる操作がなされると、使用者の指が圧力センサ２５Ａ、２５Ｂのいずれかに対して押圧されるため、圧力信号Ａ、Ｂのいずれかが鍵使用検知部４２に入力されることになる。
【００１４】
図４および図５は、鍵本体部１０の回動方向と、圧力センサ２５Ａ、２５Ｂが検知する圧力との関係を示す図である。図中、破線矢印は、使用者の指Ｆ１、Ｆ２が鍵本体部１０を押圧する方向を示している。図４は、鍵本体部１０が時計まわりに回動させる操作がなされた場合に作用する圧力を示している。図示するように、鍵本体部１０が時計まわりに操作される際には、圧力センサ２５Ａのみが圧力を検知するため、圧力信号Ａのみが鍵使用検知部４２に入力されることになる。一方、図５は、鍵本体部１０が反時計まわりに回動させる操作がなされたときに作用する圧力を示している。図示するように、鍵本体部１０が反時計まわりに操作される際には、圧力センサ２５Ｂのみが圧力を検知するため、圧力信号Ｂのみが鍵使用検知部４２に入力されることになる。
【００１５】
従って、鍵使用検知部４２は、予め鍵の施錠方向と解錠方向が判明していれば、圧力信号Ａ、Ｂのいずれが入力されたかによって、施錠操作がなされたのか、解錠操作がなされたのかを検知することができる。
【００１６】
また、圧力センサ２５Ａ、２５Ｂが、圧力を検知した／検知しないの択一的な信号を出力するのではなく、検知した圧力の値を出力するものである場合、鍵使用検知部４２は、圧力信号Ａが圧力信号Ｂよりも大きければ鍵本体部１０が時計まわりに操作されたと判定し、圧力信号Ｂが圧力信号Ａよりも大きければ鍵本体部１０が反時計まわりに操作されたと判定してよい。
【００１７】
鍵使用検知部４２は、上記の原理に基づいて、時計まわりが解錠方向、反時計まわりが施錠方向であれば、例えば、（１）接触信号が入力されてから一定時間以内に圧力信号Ａが入力された場合、解錠操作がなされた（鍵本体部１０が解錠のために使用された）と判定し、（２）接触信号が入力されてから一定時間以内に圧力信号Ｂが入力された場合、施錠操作がなされた（鍵本体部１０が施錠のために使用された）と判定する。施錠方向と解錠方向が逆の場合、（１）であれば施錠操作がなされたと判定し、（２）であれば解錠操作がなされたと判定する。また、鍵使用検知部４２は、単に圧力信号Ａ、Ｂに基づいて解錠操作や施錠操作がなされたと判定してもよい。
【００１８】
そして、鍵使用検知部４２は、解錠操作がなされたと判定した場合に、その旨を示す信号（以下、解錠操作検知信号と称する）をタイマー部４４に出力する。また、鍵使用検知部４２は、施錠操作がなされたと判定した場合に、その旨を示す信号（以下、施錠操作検知信号と称する）をタイマー部４４に出力する。
【００１９】
タイマー部４４は、例えば、解錠操作検知信号が入力されたときに計時を開始し、施錠操作検知信号が入力されたときに計時をリセットする。そして、計時を開始してから施錠操作検知信号が入力されずに所定時間が経過すると、表示部３０に何等かの表示をさせると共に、音出力部３６に注意喚起音を出力させる（注意喚起を示す情報を出力させることの一例である）。この所定時間は、図示しないスイッチを操作することにより、使用者が設定可能としてよい。なお、注意喚起を示す情報を出力することの他の態様として、タイマー部４４は、外部の監視装置に所定の信号を送信することを行ってもよい。監視装置としては、例えば、携帯電話、パーソナルコンピュータ、専用装置等が採用される。
【００２０】
図６は、制御部４０により実行される処理の流れの一例を示すフローチャートである。まず、制御部４０は、鍵使用検知部４２により解錠操作が検知されるまで待機する（ステップＳ２００）。鍵使用検知部４２により解錠操作が検知されると、タイマー部４４が計時を開始する（ステップＳ２０２）。タイマー部４４は、所定時間から計時する時間を差し引いた残り時間を、表示部３０に表示させる。
【００２１】
タイマー部４４は、計時を開始した後、鍵使用検知部４２により施錠操作が検知されたか否かを判定する（ステップＳ２０４）。鍵使用検知部４２により施錠操作が検知されない場合、タイマー部４４は、計時を開始してから所定時間が経過したか否かを判定する（ステップＳ２０６）。所定時間経過していない場合、ステップＳ２０４に戻る。
【００２２】
鍵使用検知部４２により施錠操作が検知されることなく、所定時間が経過すると、タイマー部４４は、注意喚起を示す情報を出力するように表示部３０と音出力部３６を制御する（ステップＳ２０８）。なお、所定時間経過したときに情報を出力するのは、表示と音声のいずれかによって行ってもよい。一方、所定時間経過する前に、鍵使用検知部４２により施錠操作が検知された場合、タイマー部４４は計時をリセットする（ステップＳ２１０）。これによって、当該回の計時に係る、注意喚起を示す情報の出力がキャンセルされることになる。この結果、鍵本体部１０が使用される度に、所定時間が経過すると注意喚起音が出力されるという煩わしさが解消される。
【００２３】
以上説明した第１の実施形態に係るタイマー機能付鍵１によれば、鍵本体部１０が使用されたことを検知する鍵使用検知部４２と、情報を出力する表示部３０や音出力部３６と、鍵使用検知部４２による検知結果に基づいて計時を行い、計時する時間が所定時間に至ると注意喚起を示す情報を表示部３０や音出力部３６に出力させるタイマー部４４とを備えるため、鍵のかけ忘れを抑制することができる。
【００２４】
タイマー機能付鍵１が使用されることが想定されるのは、例えば、浄水場、配水場、下水処理場等の施設である。このような施設では、鍵を作業者に貸し出して、特定の扉の内側で作業を行わせ、作業が終わると鍵を返還させるといった手順でメンテナンス等の業務が行われることがある。こうした手順で業務が行われる場合、解錠操作が行われ、作業に必要な時間よりも多くの時間が経過したにも拘わらず、鍵が解錠されたままである場合、鍵のかけ忘れが生じたと推定することができる。
【００２５】
そこで、タイマー機能付鍵１をこのような業務に適用し、作業に必要な時間よりも若干多い程度の時間に「所定時間」を予め設定しておけば、作業者が解錠して作業を行った後、施錠せずにタイマー機能付鍵１を保持、或いは返還した場合、所定時間の経過と共に注意喚起音等が出力されることになる。これによって、作業者或いはタイマー機能付鍵１を返還された者は、鍵のかけ忘れが生じたことに気付き、改めて扉に出向いて施錠を行うことができる。これによって、タイマー機能付鍵１は、鍵のかけ忘れを抑制することができる。
【００２６】
また、第１の実施形態および後述する各実施形態において、「所定時間」を使用者が設定可能とした場合、使用者個人の熟練度等に合わせたタイミングで注意喚起を示す情報が出力されるように設定することができるため、使用者の個人差を考慮した上で、鍵のかけ忘れを効果的に抑制することができる。
【００２７】
（第２の実施形態）
以下、第２の実施形態に係るタイマー機能付鍵カバーについて説明する。なお、第１の実施形態と同様の機能を有する構成要素については、同一の符号を付して説明することとする。
【００２８】
図７及び図８は、第２の実施形態に係るタイマー機能付鍵カバー５０の構成の一例を示す図である。図７はタイマー機能付鍵カバー５０が取り付けられた鍵６０を第１面から見た図であり、図８はタイマー機能付鍵カバー５０が取り付けられた鍵６０を第１面とは反対の第２面から見た図である。タイマー機能付鍵カバー５０は、例えばプラスチック等の部材によって外装面が形成され、鍵６０の頭部を覆うように、鍵６０に取り付けられる。
【００２９】
タイマー機能付鍵カバー５０は、圧力センサ２５Ａ、２５Ｂと、表示部３０と、オンスイッチ３２と、オフスイッチ３４とを備える。タイマー機能付鍵カバー５０の制御系の構成については、第１の実施形態と同様であってよいため、図３を援用する。タイマー機能付鍵カバー５０は、鍵使用検知部４２およびタイマー部４４を備える制御部４０と、音出力部３６とを備える。
【００３０】
第２の実施形態に係る鍵使用検知部４２は、例えば、鍵６０のブレード部自体を静電容量センサとして用いることで、ブレード部に鍵穴内の部材が接触したことを検知する。なお、第１の実施形態における接触検知センサ２０も、ブレード部１４自体を静電容量センサとして用いる態様であってよい。鍵使用検知部４２は、このように検知されるブレード部と鍵穴内の部材の接触と、圧力センサ２５Ａ、２５Ｂから入力される圧力信号Ａ、Ｂとに基づいて、第１の実施形態と同様の原理によって、鍵６０が使用されたことを検知する。
【００３１】
その他の機能、例えばタイマー部４４の機能については、第１の実施形態と同様であるため、説明を省略する。また、第２の実施形態に係るタイマー機能付鍵カバー５０の制御部４０は、図６に示した処理の流れを実行するものとしてよい。
【００３２】
以上説明した第２の実施形態に係るタイマー機能付鍵カバー５０によれば、鍵６０が使用されたことを検知する鍵使用検知部４２と、情報を出力する表示部３０や音出力部３６と、鍵使用検知部４２による検知結果に基づいて計時を行い、計時する時間が所定時間に至ると注意喚起を示す情報を表示部３０や音出力部３６に出力させるタイマー部４４とを備えるため、鍵のかけ忘れを抑制することができる。
【００３３】
また、第２の実施形態によれば、汎用品である鍵６０に装着するだけで、第１の実施形態に係るタイマー機能付鍵１と同様の機能を持たせることができる。この結果、鍵を全て第１の実施形態に係るタイマー機能付鍵１に交換するよりも、低コストで施設等に導入することができる。
【００３４】
また、第２の実施形態によれば、鍵６０ではなく、タイマー機能付鍵カバー５０にタイマー機能を搭載することで、既存の鍵のサイズ等に応じて、材料、構成、大きさ、形状を決定することができる。この結果、あらゆる鍵に適応して施設等に導入することができる。また、タイマー機能付鍵カバー５０は、鍵６０の頭部を収容する凹部等の形状を、複数種類の鍵６０に装着可能となるように、余裕をもった形状としてよい。更に、タイマー機能付鍵カバー５０は、鍵６０の頭部を保持するためのストリップ、フック、爪部等を備えてもよい。
【００３５】
また、第２の実施形態によれば、鍵６０とタイマー機能付鍵カバー５０を別体とすることで、タイマー機能付鍵カバー５０に不具合等が生じたときには、タイマー機能付鍵カバー５０を鍵６０から取り外して修理、点検等を行うことができるので、その間、鍵６０を継続して使用することができ、施設等の施錠・開錠自体に支障をきたすことがない。
【００３６】
（第３の実施形態）
以下、第３の実施形態に係るタイマー機能付鍵システムについて説明する。図９は、第３の実施形態に係るタイマー機能付鍵システム３の構成の一例を示す図である。タイマー機能付鍵システム３は、送信機能付鍵７０と、監視装置１００とを備える。
【００３７】
送信機能付鍵７０は、鍵使用検知部７２と、送信部７４と、鍵本体部７６とを備える。鍵使用検知部７２は、第１実施形態の鍵使用検知部４２と同様の手法により、鍵本体部７６が解錠または施錠のために使用されたことを検知する。鍵使用検知部７２は、例えば、解錠操作検知信号と施錠操作検知信号を送信部７４に出力する。送信部７４は、鍵使用検知部７２から入力された信号を、監視装置１００の受信部１０２に送信する。送信部７４と受信部１０２の間で行われる通信は、例えば、携帯電話網、無線ＬＡＮ、近距離無線通信網、インターネット等を利用して行われる。
【００３８】
監視装置１００は、例えば、携帯電話やパーソナルコンピュータ、専用装置等である。監視装置１００は、受信部１０２と、タイマー部１０４と、表示部１０６と、音出力部１０８とを備える。タイマー部１０４は、例えば専用のアプリケーションプログラムが監視装置１００にインストールされることで機能する。タイマー部１０４は、解錠操作検知信号が受信部１０２により受信されたときに計時を開始し、施錠操作検知信号が受信部１０２により受信されたときに計時をリセットする。そして、計時を開始してから施錠操作検知信号が受信されずに所定時間が経過すると、表示部１０６に何等かの表示をさせると共に、音出力部１０８に注意喚起音を出力させる。
【００３９】
係る構成によって、第１実施形態と同様の処理が実現される。以上説明した第３実施形態のタイマー機能付鍵システム３によれば、鍵本体部７６が使用されたことを検知する鍵使用検知部７２、および鍵使用検知部７２による検知結果に基づいて所定の信号（解錠操作検知信号、施錠操作検知信号）を監視装置１００に送信する送信部７４を有する送信機能付鍵７０と、所定の信号を受信する受信部１０２、情報を出力する表示部１０６や音出力部１０８、および、受信部１０２により所定の信号が受信されるのに応じて計時を行い、計時する時間が所定時間に至ると注意喚起を示す情報を表示部１０６や音出力部１０８に出力させるタイマー部１０４を有する監視装置と、を備えるため、鍵のかけ忘れを抑制することができる。
【００４０】
また、第３の実施形態によれば、使用者が保持している携帯電話等の監視装置１００に音出力部１０８を配置するため、送信機能付鍵７０を現場等に忘れて、そこから離れた場合でも、使用者が鍵のかけ忘れに気付くことができる。
【００４１】
（第４の実施形態）
以下、第４の実施形態に係るタイマー機能付鍵システムについて説明する。図１０は、第４の実施形態に係るタイマー機能付鍵システム４の構成の一例を示す図である。タイマー機能付鍵システム４は、送信機能付鍵カバー８０と、監視装置１００とを備える。
【００４２】
送信機能付鍵カバー８０は、鍵８６の頭部に取り付けられる。送信機能付鍵カバー８０は、鍵使用検知部８２と、送信部８４とを備える。鍵使用検知部８２は、第２実施形態の鍵使用検知部４２と同様の手法により、鍵８６が使用されたことを検知する。鍵使用検知部８２は、例えば、解錠操作検知信号と施錠操作検知信号を送信部８４に出力する。送信部８４は、鍵使用検知部８２から入力された信号を、監視装置１００の受信部１０２に送信する。送信部８４と受信部１０２の間で行われる通信は、例えば、携帯電話網、無線ＬＡＮ、近距離無線通信網、インターネット等を利用して行われる。
【００４３】
監視装置１００に関しては、第３の実施形態と同様の機能を有するため、説明を省略する。
【００４４】
係る構成によって、第１実施形態と同様の処理が実現される。以上説明した第４実施形態のタイマー機能付鍵システム４によれば、鍵８６が解錠または施錠のために使用されたことを検知する鍵使用検知部８２、および鍵使用検知部８２による検知結果に基づいて所定の信号（解錠操作検知信号、施錠操作検知信号）を監視装置１００に送信する送信部８４を有する送信機能付鍵カバー８０と、所定の信号を受信する受信部１０２、情報を出力する表示部１０６や音出力部１０８、および、受信部１０２により所定の信号が受信されるのに応じて計時を行い、計時する時間が所定時間に至ると注意喚起を示す情報を表示部１０６や音出力部１０８に出力させるタイマー部１０４を有する監視装置と、を備えるため、鍵のかけ忘れを抑制することができる。
【００４５】
また、第４の実施形態によれば、汎用品である鍵８６に送信機能付鍵カバー８０を装着するだけで、第３の実施形態に係る送信機能付鍵７０と同様の機能を持たせることができる。この結果、鍵を全て第３の実施形態に係る送信機能付鍵７０に交換するよりも、低コストで施設等に導入することができる。
【００４６】
また、第４の実施形態によれば、鍵８６ではなく、送信機能付鍵カバー８０にタイマー機能を搭載することで、既存の鍵のサイズ等に応じて、材料、構成、大きさ、形状を決定することができる。この結果、あらゆる鍵に適応して施設等に導入することができる。また、送信機能付鍵カバー８０は、鍵８６の頭部を収容する凹部等の形状を、複数種類の鍵８６に装着可能となるように、余裕をもった形状としてよい。更に、送信機能付鍵カバー８０は、鍵８６の頭部を保持するためのストリップ、フック、爪部等を備えてもよい。
【００４７】
また、第４の実施形態によれば、鍵８６と送信機能付鍵カバー８０を別体とすることで、送信機能付鍵カバー８０に不具合等が生じたときには、送信機能付鍵カバー８０を鍵８６から取り外して修理、点検等を行うことができるので、その間、鍵８６を継続して使用することができ、施設等の施錠・開錠自体に支障をきたすことがない。
【００４８】
また、第４の実施形態によれば、使用者が保持している携帯電話等の監視装置１００に音出力部１０８を配置するため、送信機能付鍵カバー８０が装着された鍵８６を現場等に忘れて、そこから離れた場合でも、使用者が鍵のかけ忘れに気付くことができる。
【００４９】
なお、上記各実施形態では、鍵本体部または鍵が、ブレード部を有する鍵であるものとして説明したが、アブロイキー、ディンプルキー、スケルトンキー、チューブラーキー等、他の態様の鍵に適用することもできる。
【００５０】
上記各実施形態における「鍵使用検知部４２」、「鍵使用検知部７２」、「鍵使用検知部８２」は、「検知部」の一例である。また、「表示部３０」、「音出力部３６」、「表示部１０６」、「音出力部１０８」は、「出力部」の一例である。
【００５１】
また、鍵本体部または鍵が使用されたことを検知する手法は、上記各実施形態の手法に限らず、他の手法が用いられてもよい。例えば、使用者によるスイッチ操作に基づいて解錠操作や施錠操作を検知してもよい。
【００５２】
以上説明した少なくともひとつの実施形態によれば、鍵本体部または鍵が使用されたことを検知し、その検知結果に基づいて計時を行い、計時する時間が所定時間に至ると注意喚起を示す情報を出力させる機能を持つことにより、鍵のかけ忘れを抑制することができる。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１…タイマー機能付鍵、３,４…タイマー機能付鍵システム、１０…鍵本体部、１２…頭部、１４…ブレード部、２０…接触検知センサ、２５Ａ,２５Ｂ…圧力センサ、３０,１０６…表示部、３２…オンスイッチ、３４…オフスイッチ、３６,１０８…音出力部、４０…制御部、４２,７２,８２…鍵使用検知部、４４,１０４…タイマー部、５０…タイマー機能付鍵カバー、６０…鍵、７０…送信機能付鍵、７４…送信部、７６…鍵本体部、８０…送信機能付鍵カバー、８４…送信部、８６…鍵、１００…監視装置、１０２…受信部
【図１】
2015140599.tif 000003
【図２】
2015140599.tif 000004
【図３】
2015140599.tif 000005
【図４】
2015140599.tif 000006
【図５】
2015140599.tif 000007
【図６】
2015140599.tif 000008
【図７】
2015140599.tif 000009
【図８】
2015140599.tif 000010
【図９】
2015140599.tif 000011
【図１０】
2015140599.tif 000012